(57)【要約】 【課題】  ゴルフクラブシャフトについて、曲げ変形させる部位を正確に特定することによって、曲げ角度を精度良く調節できるようにしたゴルフクラブシャフトの角度調整具を提供することにある。【解決手段】  ２つの押圧受部４間に向けて進退可能に押圧部３を備え、押圧受部４には、ゴルフクラブシャフトＧが当接する受け溝１６が形成され、該シャフトＧを前記受け溝１６に当接させた状態で、ベント部分Ｖを前記押圧部３で押圧することによって、２つの押圧受部４間でベント部分Ｖに曲げ力を加えるようにしたことを特徴とするものである。【選択図】    図１
2008125826.tif 000002
【特許請求の範囲】
【請求項１】
ゴルフクラブシャフトのベント部分の曲げ角度を調節するためのゴルフクラブシャフトの角度調節具であって、
基台と、該基台に設けられた２つの押圧受部と、これら２つの押圧受部間に向けて進退可能に該基台に設けられた押圧部とを備え、
前記押圧受部には、前記ゴルフクラブシャフトが当接する受け溝が形成され、
該シャフトを前記受け溝に当接させた状態で、前記ベント部分を前記押圧部で押圧することによって、２つの押圧受部間でベント部分に曲げ力を加えるようにしたことを特徴とするゴルフクラブシャフトの角度調節具。
【請求項２】
前記押圧受部を多面体で形成して前記基台に回転可能に設け、該多面体の各面に前記受け溝を形成すると共に、各面に形成された受け溝の軸芯の傾きを互いに異ならせたことを特徴とする請求項１に記載のゴルフクラブシャフトの角度調節具。
【請求項３】
前記押圧受部の配置位置は、前記基台上おいて前記押圧部の進退方向とほぼ直交する方向において位置調整可能であることを特徴とする請求項１又は請求項２に記載のゴルフクラブシャフトの角度調節具。
【請求項４】
前記押圧受部は、前記基台に対して接近又は離間する方向へ位置調整可能であることを特徴とする請求項１乃至請求項３の何れか１項に記載のゴルフクラブシャフトの角度調節具。
【請求項５】
前記押圧部には、前記ベント部分に当接する湾曲面状の押圧面が設けられていることを特徴とする請求項１乃至請求項４の何れか１項に記載のゴルフクラブシャフトの角度調節具。
【請求項６】
前記押圧部には、前記ベント部分に当接するほぼ平坦な押圧面が設けられていることを特徴とする請求項１乃至請求項４の何れか１項に記載のゴルフクラブシャフトの角度調節具。
【請求項７】
前記押圧部は、前記クラブシャフトよりも軟質の素材で形成されることにより、前記クラブシャフトとの当接によって変形可能であることを特徴とする請求項５又は請求項６に記載のゴルフクラブシャフトの角度調整具。
【請求項８】
前記押圧面には、前記ゴルフクラブシャフトの一部が嵌り込む溝が形成されていることを特徴とする請求項６に記載のゴルフクラブシャフトの角度調節具。
【請求項９】
前記押圧部は、前記基台に設けられた支持部に支持された回転軸と、軸孔が形成されると共に該軸孔に該回転軸の先端が回転自在に嵌合されることにより該回転軸の先端に着脱自在に取り付けられた押圧当接部とから構成され、該押圧当接部には前記押圧面が形成され、
前記回転軸の回転量を調整することにより、前記回転軸の進退量を調節して前記ベント部分に加える押圧力を調節できることを特徴とする請求項５乃至請求項７の何れか１項に記載のゴルフクラブシャフトの角度調節具。
【請求項１０】
前記押圧当接部は、硬質樹脂で形成されていることを特徴とする請求項５又は請求項６に記載のゴルフクラブシャフトの角度調節具。
【発明の詳細な説明】
【技術分野】
【０００１】
本発明は、ゴルフクラブシャフトのベント部分の曲げ角度を調節するための角度調節具に関するものである。
【背景技術】
【０００２】
図９、図１０は、ゴルフクラブシャフトのベント部分の曲げ角度を調節するための角度調節具１００の背景技術を示す。当該背景技術においては、図９に示すように、ゴルフクラブヘッド１０１をクランプしてセットするためのクランプ部１０２と、該クランプ部１０２でゴルフクラブヘッド１０１がセットされたゴルフクラブシャフトＧの曲げ角度を調節するためのベンディングバー１０３とを備えている。
【０００３】
クランプ部１０２は、水平位置決め部１０４、１０４と、押さえ部１０５とを備えている。水平位置決め部１０４、１０４は、互いに対面するように一対設けられ、これら一対の水平位置決め部１０４、１０４同士の間でゴルフクラブヘッド１０１が挟持されるようにして水平方向の位置決めが成される構成になっている。又、押さえ部１０５は、ゴルフクラブヘッド１０１の上面に当接するように設けられている。
【０００４】
図１０に示すように、前記ベンディングバー１０３は、把持棒１０６と該把持棒１０６の先端に設けられた操作棒１０７とから略Ｔ字状に形成されると共に該操作棒１０７の両端に円柱状の当接部１０８，１０９が設けられた構成である。
【０００５】
そして、このように構成された角度調節具１００を用いてゴルフクラブシャフトＧの曲げ角度を調節する場合、先ず、図９に示すように、一対の水平位置決め部１０４，１０４によってゴルフクラブヘッド１０１を挟持するようにしてゴルフクラブシャフトＧの水平方向の位置決めを行う。次に、押さえ部１０５でゴルフクラブヘッド１０１の上面を下方へ押さえ付けるようにしてゴルフクラブシャフトＧの位置を固定する。
【０００６】
次に、図１０中、二点鎖線で示すように、ベンディングバー１０３の２つの当接部１０８，１０９の間にゴルフクラブシャフトＧを位置させるようにして、ベンディングバー１０３の２つの当接部１０８，１０９をゴルフクラブシャフトＧに当接させる。その後、ベンディングバー１０３の把持部１０６の基端側を作業者が把持し、下側の当接部１０９を前方（図１０中、矢示Ａ方向）へ押し出し、上側の当接部１０８を手前方向（図１０中、矢示Ｂ方向）へ引き寄せるようにして、該ベンディングバー１０３の基端側を下方（図１０中、矢示Ｃ方向）へ押し下げる。
【０００７】
すると、ゴルフクラブシャフトＧは、下側の当接部１０９が当接する部位Ｓにおいて、下方（図１０中、矢示Ｃ方向）へ屈曲するように曲げられる。この際、ベンディングバー１０３の基端側を作業者が下方へ押し下げる力の入れ具合によって、ゴルフクラブシャフトＧの当該部位Ｓにおいての曲げ角度を調節する。
【発明の開示】
【発明が解決しようとする課題】
【０００８】
しかし、図１０に示すように、ベンディングバー１０３を下方へ押し下げた場合、ゴルフクラブシャフトＧのネック部位Ｎには、前方（図１０中、矢示Ｄ方向）へ向けた押圧力が発生する。そして、当該ネック部位Ｎが、当該押圧力によって折れたり、偏平に潰れたり、又は、接着が取れたりして、損傷するといった問題があった。
【０００９】
そこで、本発明は前記背景技術の問題点に鑑みて成されたもので、その目的は、ゴルフクラブシャフトのネック部分に負担を掛けない状態で、ゴルフクラブシャフトのベント部位を精度良く適確に曲げることができるようにしたゴルフクラブシャフトの角度調節具を提供することにある。
【課題を解決するための手段】
【００１０】
請求項１に記載の発明は、ゴルフクラブシャフトのベント部分の曲げ角度を調節するためのゴルフクラブシャフトの角度調節具であって、
基台と、該基台に設けられた２つの押圧受部と、これら２つの押圧受部間に向けて進退可能に該基台に設けられた押圧部とを備え、
前記押圧受部には、前記ゴルフクラブシャフトが当接する受け溝が形成され、
該シャフトを前記受け溝に当接させた状態で、前記ベント部分を前記押圧部で押圧することによって、２つの押圧受部間でベント部分に曲げ力を加えるようにしたことを特徴とするものである。
【００１１】
請求項２に記載の発明は、請求項１に記載のゴルフクラブシャフトの角度調節具において、前記押圧受部を多面体で形成して前記基台に回転可能に設け、該多面体の各面に前記受け溝を形成すると共に、各面に形成された受け溝の軸芯の傾きを互いに異ならせたことを特徴とするものである。
【００１２】
請求項３に記載の発明は、請求項１又は請求項２に記載のゴルフクラブシャフトの角度調節具において、
前記押圧受部の配置位置は、前記基台上おいて前記押圧部の進退方向とほぼ直交する方向において位置調整可能であることを特徴とする請求項１又は請求項２に記載のゴルフクラブシャフトの角度調節具。
【００１３】
請求項４に記載の発明は、請求項１乃至請求項３の何れか１項に記載のゴルフクラブシャフトの角度調節具において、前記押圧受部は、前記基台に対して接近又は離間する方向へ位置調整可能であることを特徴とするものである。
【００１４】
請求項５に記載の発明は、請求項１乃至請求項４の何れか１項に記載のゴルフクラブシャフトの角度調節具において、前記押圧部には、前記ベント部分に当接する湾曲面状の押圧面が設けられていることを特徴とするものである。
【００１５】
請求項６に記載の発明は、請求項１乃至請求項４の何れか１項に記載のゴルフクラブシャフトの角度調節具において、前記押圧部には、前記ベント部分に当接するほぼ平坦な押圧面が設けられていることを特徴とするものである。
【００１６】
請求項７に記載の発明は、請求項５又は請求項６に記載のゴルフクラブシャフトの角度調節具において、前記押圧部は、前記クラブシャフトよりも軟質の素材で形成されることにより、前記クラブシャフトとの当接によって変形可能であることを特徴とするものである。
【００１７】
請求項８に記載の発明は、請求項６に記載のゴルフクラブシャフトの角度調節具において、前記押圧面には、前記ゴルフクラブシャフトの一部が嵌り込む溝が形成されていることを特徴とするものである。
【００１８】
請求項９に記載の発明は、請求項５乃至請求項７の何れか１項に記載のゴルフクラブシャフトの角度調節具において、前記押圧部は、前記基台に設けられた支持部に支持された回転軸と、軸孔が形成されると共に該軸孔に該回転軸の先端が回転自在に嵌合されることにより該回転軸の先端に着脱自在に取り付けられた押圧当接部とから構成され、該押圧当接部には前記押圧面が形成され、
前記回転軸の回転量を調整することにより、前記回転軸の進退量を調節して前記ベント部分に加える押圧力を調節できることを特徴とするものである。
【００１９】
請求項１０に記載の発明は、請求項５又は請求項６に記載のゴルフクラブシャフトの角度調節具において、前記押圧当接部は、硬質樹脂で形成されていることを特徴とするものである。
【発明の効果】
【００２０】
請求項１に記載の発明によれば、ゴルフクラブシャフトのベント部分の両側を各押圧受部で受け止めた状態で、これら押圧受部間において、押圧部でベント部分に押圧力を加えるようにしたため、該ベント部分は押圧部に当接する部位において正確に曲げられることができ、該ベント部分の曲げる部位を正確に特定することができる。
【００２１】
請求項２に記載の発明によれば、ゴルフクラブシャフトの形状に相応した押圧受部を選択することができるため、ゴルフクラブシャフトを的確に受け止めることができる。
【００２２】
請求項３に記載の発明によれば、２つの押圧受部の位置を最も好ましい位置に設定することができる。
【００２３】
請求項４に記載の発明によれば、押圧受部の基台からの接近、離間、即ち、高さを調整することによって、該押圧受部を最も好ましい高さに設定することができる。
【００２４】
請求項５に記載の発明によれば、押圧面がベント部分に密接することができるため、該押圧面でベント部分を効率よく押圧することができる。
【００２５】
請求項６に記載の発明によれば、押圧面が平坦面状に形成されているため、該押圧面で、任意の角度のベント部分を効率よく押圧することができる。
【００２６】
請求項７に記載の発明によれば、押圧部はベント部分との当接によって、該ベント部分の形状に馴染むように変形しながら、該ベント部分を押圧して曲げ変形させることができる。
【００２７】
請求項８に記載の発明によれば、ゴルフクラブシャフトの一部が溝に嵌り込むようにして、押圧面で受け止められる。
【００２８】
請求項９に記載の発明によれば、回転軸の回転量を調節することで、押圧部の進退量を調節することができ、ベント部分の曲げ角度を調節することができる。
【００２９】
請求項１０に記載の発明によれば、押圧当接部が硬質樹脂で形成されているため、適度の硬度を確保しながら、ベント部分との当接によって、該ベント部分の形状に馴染むように変形することができる。
【発明を実施するための最良の形態】
【００３０】
図１乃至図８は、本発明の第一実施形態を示す。図１乃至図８は、ゴルフクラブシャフトの角度調節具を示す。
【００３１】
該角度調節具１は、鋼製の基台２と、該基台２上に立設される押圧部３、及び２つの押圧受部４とを備え、図中、二点鎖線で示すように、これら押圧部３と、２つの押圧受部４との間に、ゴルフクラブシャフトＧを配置できる構成になっている。
【００３２】
前記基台２は、押圧部３、及び２つの押圧受部４が配設される部材であって、その形状は限定されないが、図１に示す実施例のように全体をＴ字状とし、該文字の下端に相当する位置に押圧部３を設け、該文字の上部両端に相当する位置に押圧受部４を設けると全体をコンパクトに構成することができる。この場合、基台２は、例えば、直方体状の基台本体５と、該基台本体５の先端に該基台本体５の軸芯Ｌと直交する方向へ延設された延設部６とから構成され、上方から観た場合、Ｔ字状を成した形状に形成されることができる。該基台２は、作業者が把持できる太さに形成されて作業者が持ち運びできるようにすることができる。
【００３３】
前記基台２には、押圧部３が、前後方向（図１中、矢示方向）へ進退自在に設けられている。該押圧部３は、前後方向へ進退可能であれば、その構造は限定されないが、該押圧部３は、例えば、図１に示すように、雄螺子が螺刻された回転軸７と該回転軸７の先端に設けられた押圧当接部８とから構成することができる。該回転軸７は、基台本体５の後端に立設された支持部９の螺子孔に回転可能に支持されて、正方向への回転、及び逆方向への回転によって、前後方向へ進退可能になっている。該回転軸７の基端に六角柱状の操作部１０を設けることにより、回転軸７を容易に回転操作できるように構成することができる。該回転軸７は、前記基台本体５の軸芯Ｌに沿って前後方向へ進退可能に設けることができる。該押圧部３は、前記延設部６の位置より前方にまで前進できるように形成されている。
【００３４】
前記押圧当接部８の表面には押圧面１１が形成され、背面には、図２に示すように、嵌合凹部１２が形成されている。該押圧面１１は、図１中、二点鎖線で示すように、ゴルフクラブシャフトＧを横に倒した状態で該ゴルフクラブシャフトＧのベント部分Ｖに当接して押圧力を加えることができる形状に形成されているものであって、該ベント部分Ｖの形状や該ベント部分Ｖに当接する向きに応じて複数種のものが用意されている。押圧当接部８は、このように、複数種のものが用意され、背面の嵌合凹部１２を前記回転軸７の先端に嵌合するようにして、適宜、付け替えできるようになっている。
【００３５】
図１は、押圧当接部８が、ベント部分Ｖの凹んでいる側から当接できる形状に形成されている場合であり、図３は、押圧当接部８が、ベント部分Ｖの突出している側から当接できる形状に形成されている場合を示す。
【００３６】
図１に示す押圧当接部８の表面には、ゴルフクラブシャフトＧのベント部分Ｖが嵌り込む湾曲溝１３が形成されている。該湾曲溝１３は、該ベント部分Ｖが嵌り込む溝幅であって、且つ、該ベント部分Ｖが嵌り込むように該ベント部分Ｖの曲がりに相応した形状に湾曲している。このように、押圧当接部８の表面に湾曲溝１３を形成した場合には、該湾曲溝１３の溝底面によって、前記押圧面１１が形成される。
【００３７】
図１に示す押圧当接部８については、溝底面の曲率半径Ｒが３０ｍｍから５０ｍｍのものを用いることにより、ベント部分Ｖの角度を約２度から６度の範囲で調節することが可能である。特に、３０ｍｍと５０ｍｍとのものを組み合わせて使用すると、５０ｍｍによって弱めにゴルフクラブシャフトＧを曲げ変形させてから３０ｍｍのものを用いて局部的に更に強めにゴルフクラブシャフトＧを曲げ変形させることで、ゴルフクラブシャフトＧを一気に曲げすぎて該ゴルフクラブシャフトＧを折損するといったことを、習熟度が低く、作業に不慣れな初心者であっても勘に頼ることなく効果的に防ぐことができる。
【００３８】
図３に示す押圧当接部８の表面には、平坦な押圧面１１が形成されている。該押圧面１１には、ゴルフクラブシャフトＧの一部が嵌り込む溝１４が形成されている。該溝１４は１つでも良く、又は、縦横に形成されることにより、十字に形成しても良く、更には、該溝１４を縦横に複数設けることにより、格子状に形成しても良い。又、前記溝１４の溝幅は、１ｍｍから３ｍｍの間が好ましいが、特に、溝幅が２ｍｍであって、その溝によって形成される複数の各押圧面１１が４ｍｍ角となるものが好適である。図４は、当該押圧当接部８の斜視図を示し、図５は該押圧当接部８の溝１４でゴルフシャフトＧのベント部分Ｖを受け止めた状態を示す。
【００３９】
前記押圧当接部８は、ゴルフクラブシャフトＧとの当接の際に、該ゴルフクラブシャフトＧの形状に馴染むことができるように、該ゴルフクラブシャフトＧの材質よりも軟質の材質の部材で形成されることが好ましい。該押圧当接部８は、ショア硬度が９０以上のウレタン（登録商標）、テフロン（登録商標）、木などで形成することができる。
【００４０】
図１、図３に示すように、前記押圧受部４は、前記延設部６に設けられている。該押圧受部４は２つ設けられており、その中間位置に前記押圧部３の先端が前進して到達できるように、これら２つの押圧受部４は互いに離間して設けられている。
【００４１】
又、前記押圧受部４は、六面体で形成され、上下面を貫通するようにしてピン１５が設けられている。そして、該押圧受部４は、ピン１５の軸方向へ移動することで、基台２に対して接近、離間を調節することができて、ゴルフクラブシャフトＧの曲がり具合、曲げ方向などに応じて、当該ゴルフクラブシャフトＧの曲げ作業を適確に行うことができるようにするために、該ピン１５の軸方向への高さ調整をできるようになっていると共に、該ピン１５を中心に回転できるようになっている。該押圧受部４の４つの各側面には、受け溝１６が形成されている。該受け溝１６は、図１、図３に示すように、ゴルフクラブシャフトＧが横に倒された状態で該ゴルフクラブシャフトＧが嵌り込んで受け止められる溝である。
【００４２】
図６に示すように、前記押圧受部４の各側面に設けられた受け溝１６の軸芯Ｍは、水平線Ｓを基準にして互いに傾きを異ならせている。即ち、図６（a），（ｂ），（c）には、該軸芯Ｍが水平線Ｓを基準にして反時計方向へ傾くように形成された場合であって、各押圧受部４に設けられた受け溝１６の形成位置が上下方向へ異ならせた場合を示し、図６（d）には、該軸芯Ｍが水平線Ｓにほぼ一致した場合を示している。
【００４３】
そして、図７は、一方の押圧受部４の受け溝１６の傾きとして、図６（a）に示す状態を選択し、他方の押圧受部４の受け溝１６の傾きとして、図６（ｄ）に示す状態を選択しており、同図７に示す場合には、例えば、ロフト角方向の角度が同図中二点鎖線で示す状態のゴルフクラブシャフトＧが２つの押圧受部４，４によって受け止められるようにしてセットされた状態を示している。同図７は、２つの押圧受部４，４を押圧部３側から観た状態を示す。
【００４４】
又、図１及び図３に示すように、前記基台２の延設部６には、前記押圧受部４のピン１５がネジ込まれるピン孔１７が複数個設けられており、これら複数個のピン孔１７の内から任意の２つのピン孔１７を選択して、２つの押圧受部４，４のピン１５を差し込むことにより、これら２つの押圧受部４，４の位置調整がなされる。これらピン孔１７は、前記基台本体５の軸芯Ｌを中心にして左右に等間隔に、例えば、２４ｍｍ間隔で複数個設けられている。従って、押圧受部４、４の間隔を適宜選択することで、ゴルフクラブシャフトＧに加える変形位置、及び変形量を適確に調整することができる。
【００４５】
次に、ゴルフクラブシャフトＧのライ角方向の角度を調整する場合の作用について説明する。尚、ゴルフクラブシャフトＧのロフト角方向の角度は既に調整済みであるとする。この場合、図１において、押圧受部４を回転させて、当該ロフト角方向の曲がりに合致して、ゴルフクラブシャフトＧを横に倒した状態で受け止めることのできる受け溝１６を選択する。図１、図７は、ゴルフクラブシャフトＧ（二点鎖線で示す）をセットした状態を示す。
【００４６】
次に、押圧部４の操作部１０を操作して、回転軸７を前進させ、押圧当接部８をゴルフクラブシャフトＧのベント部分Ｖに接近させて、該押圧当接部８の湾曲溝１３に該ベント部Ｖを嵌まり込ませる。
【００４７】
その後、操作部１０を操作することにより、押圧当接部８をゴルフクラブシャフトＧに更に接近させて該ベント部分Ｖに押圧力を加える。ゴルフクラブシャフトＧは、ベント部分Ｖの両側が押圧受部４に受け止められた状態で、該ベント部分Ｖが押圧部３によって押圧されることによって、該ベント部分Ｖの角度が更に小さくなるように該ベント部分Ｖが曲げられて該ベント部分Ｖの角度調節がなされる。
【００４８】
この場合、ゴルフクラブシャフトＧは、図１、図３に示すように、押圧部３が当接して押圧力が加えられる部位において、曲がることができるため、作業者はゴルフクラブシャフトＧの曲げる部位を正確に特定できる。
【００４９】
又、ゴルフクラブシャフトＧは、押圧受部４に当接している状態であって把持されてはいない。又、前記押圧当接部８は前記ゴルフクラブシャフトＧよりも軟質の部材で形成されているため、前記押圧当接部８で、前記ベント部分Ｖを押圧する際、押圧当接部８は、ベント部分Ｖからの反力によって、該ベント部分Ｖの形状に馴染むように変形しながら、該ベント部分Ｖに曲げ力を加えることができる。
【００５０】
更に、押圧受部４は、ピン１５を中心として回転できると共に、該ピン１５の軸方向、即ち、高さ方向へ自在に移動できる。このため、ゴルフクラブシャフトＧのベント部分Ｖが押圧部３で押圧されながら変形する際、当該変形に伴って、該押圧受部４は、ピン１５の軸方向及び周方向へ移動して姿勢を変えつつ、該ベント部分Ｖの形状にフィットしながら該ベント部分Ｖを受け止めることができる。特に、ゴルフクラブシャフトＧの形状、硬さ、角度に応じて、ベント部分Ｖの変形の程度が異なるため、前述のように、押圧受部４が、該ベント部分Ｖの変形に追従してその姿勢を変化できることは、ベント部分Ｖの曲げ角度を精度良く調節する上において極めて好ましいものである。又、押圧受部４が、ベント部分Ｖの変形に追従してその姿勢を変化させながら該ベント部分Ｖを無理なく支承できるため、ゴルフクラブＧの損傷を押さえることができる。
【００５１】
尚、前記ベント部分Ｖの角度を大きくするように、即ち、曲げを小さくするように角度調節する場合には、図１に示す状態から、操作部１０を操作して、回転軸７を後退させた後、押圧当接部８を取り外す一方、新たな押圧当接部８に付け替えることにより図８に示す状態にする。同図８には、二点鎖線で示すように、ゴルフクラブシャフトＧのベント部分Ｖの突出側が押圧当接部８に対面するようにゴルフクラブシャフトＧがセットされた状態を示す。そして、図８に示す状態において、押圧部３の操作部１０を操作して、回転軸７を前進させることによって、押圧当接部８によってベント部分Ｖを押圧する。この場合には、ベント部分Ｖは、図１に示す場合とは反対方向へ曲げられることによって、ベント部分Ｖの角度が大きくなるように、即ち、ベント部分Ｖの曲げ角度が小さくなるように角度調節される。
【００５２】
以上の説明では、ライ角の角度を調節する場合について説明したが、図１又は図３に示すように、ゴルフクラブシャフトＧを押圧受部４にセットした状態から、該ゴルフクラブシャフトＧを押圧受部４にセットする姿勢を変更することによって、ロフト角やそれ以外の任意の角度を調節することができるものである。
【００５３】
本願のゴルフクラブシャフトの角度調節具１は、前記の実施例に限定されるものではなく、例えば、操作部１０の形状をＴ字状又は十字状といったハンドル状に形成すれば、例えば、スパナを用いることなく、操作部１０を容易に操作することができる。又、基台２、押圧部３，押圧受部４，回転軸７、押圧当接部８、押圧面１１、受け溝１６の形状、材質、大きさ等を適宜変更できることは勿論である。
【００５４】
又、前記延設部６に設けられているピン孔１７の個数以上の多数の数の押圧受部４を備え、各押圧受部４に設けられている受け溝１６の傾斜角が大きいものから小さなものまで、多数、用意しておくことによって、任意の傾斜角の受け溝１６を備えた押圧受部４を適宜選択してピン孔１７に差し込んで組み合わせることによって、様々な曲がり角度のゴルフクラブシャフトＧを受け溝１６で無理なく支承できるようにすることが好ましい。
【００５５】
更に、前記押圧部３の回転軸７、支持部９をステンレスで形成したり、該回転軸７、支持部９の螺子を角ねじ、台形ねじで形成することによって、回転軸７、支持部９の耐久性を高めることができる。
【００５６】
又、該押圧部３をラックとピニオンで構成し、ピニオンの回転をラックの前後移動に変換し、該ラックに押圧当接部８を設けるように構成しても良い。
【００５７】
図９は、第二実施形態を示す。第二実施形態の特徴は、支持部９に軸受２１を設け、該軸受２１によって、回転軸７を回転自在に支持できるようにした点にある。該軸受２１は筒状の小径部２１ａと大径部２１ｂとから構成できる。該軸受２１には、螺子孔が形成されて、該螺子孔に回転軸７が螺合する構成になっている。そして、該軸受２１は、その小径部２１ａが支持部９に設けられた軸孔を貫通し、大径部２１ｂが支持部９の裏面に当接するようにして、図９に示すように、支持部９に設けられる。
【００５８】
前記回転軸７を鉄、又はその合金で製造し、且つ、前記軸受２１を真鍮で製造するように、軸受２１を回転軸７の熱膨張率よりも大きな熱膨張率の素材で製造しても良い。このように素材を選択した場合、鉄よりも真鍮の熱膨張率が大きいことに基づいて以下の作用効果を奏する。即ち、回転軸７を繰り返し螺回操作することによって、該回転軸７と軸受２１とが発熱した場合、当該発熱によって回転軸７が熱膨張するが、該回転軸７の体積膨張よりも大きく、軸受２１の螺子孔が拡大することになって、回転軸７の雄螺子と、軸受２１の螺子孔との間にクリアランスが確保される。このため、回転軸７を繰り返し螺回操作して発熱し易い状況下であっても、回転軸７のスムーズな螺回操作が確保される。
【図面の簡単な説明】
【００５９】
【図１】ゴルフクラブシャフトの角度調節具の斜視図である。（本発明の第一実施形態）
【図２】押圧当接部を背面側から観た状態の斜視図である。（本発明の第一実施形態）
【図３】ゴルフクラブシャフトの角度調節具の斜視図である。（本発明の第一実施形態）
【図４】押圧当接部を前面側から観た状態の斜視図である。（本発明の第一実施形態）
【図５】押圧当接部の表面にゴルフクラブシャフトが当接した状態の一部側面図である。（本発明の第一実施形態）
【図６】押圧受部の側面を示す側面図である。（本発明の第一実施形態）
【図７】押圧受部でゴルフクラブシャフトを受け止めた状態を示す図である。（本発明の第一実施形態）
【図８】ゴルフクラブシャフトの角度調節具の斜視図である。（本発明の第一実施形態）
【図９】ゴルフクラブシャフトの角度調節具の斜視図である。（本発明の第二実施形態）
【図１０】背景技術の角度調節具を示す斜視図である。（背景技術）
【図１１】図１０の一部を拡大して示す図である。（背景技術）
【符号の説明】
【００６０】
１  ゴルフクラブシャフトの角度調節具
２  基台
３  押圧部
４  押圧受部
７  回転軸
８  押圧当接部
１０  操作部
１１  押圧面
１６  受け溝
【図１】
2008125826.tif 000003
【図２】
2008125826.tif 000004
【図３】
2008125826.tif 000005
【図４】
2008125826.tif 000006
【図５】
2008125826.tif 000007
【図６】
2008125826.tif 000008
【図７】
2008125826.tif 000009
【図８】
2008125826.tif 000010
【図９】
2008125826.tif 000011
【図１０】
2008125826.tif 000012
【図１１】
2008125826.tif 000013